(57)【特許請求の範囲】
【請求項１】
配線面を有する樹脂製の配線部材と、
前記配線面に沿って配線される部分と前記配線部材から引き出される部分とを有し、前記引き出される部分の端部にコネクタが接続される電線と、を備えた配線構造であって、
前記配線部材の前記配線面における前記電線の引き出し位置の近傍に、前記電線の位置決め固定部が一体に設けられ、
さらに、前記電線の外周に巻かれるバンド本体部と、前記バンド本体部が挿通される係止孔を有し、前記バンド本体部を係止する基部と、を有するバンド部材を備え、
前記位置決め固定部は、前記配線面に立設された壁の内側に前記基部を嵌め込む挿入空間を有し、かつ前記基部を嵌め込む過程で撓み変形する連結部材押さえ片を有し、
前記連結部材押さえ片は、前記挿入空間の挿入口に向けて突出し、前記基部に係止可能な抜止突起を有している配線構造。
【請求項２】
配線面を有する樹脂製の配線部材と、
前記配線面に沿って配線される部分と前記配線部材から引き出される部分とを有し、前記引き出される部分の端部にコネクタが接続される電線と、を備えた配線構造であって、
前記配線部材の前記配線面における前記電線の引き出し位置の近傍に、前記電線の位置決め固定部が一体に設けられ、
前記位置決め固定部は、前記配線面に立設された電線巻き付け部を有し、かつ前記電線巻き付け部への前記電線の差し込み口と、前記差し込み口に向けて鍔部を突出させた撓み変形可能な電線押さえ片と、を有している配線構造。
【発明の詳細な説明】
【技術分野】
【０００１】
本発明は、配線構造に関する。
【背景技術】
【０００２】
特許文献１に開示の配線構造は、機器に取り付けられる樹脂製のベース体を備えている。ベース体の上面には、樋部が設けられている。樋部は、電線の幹線部分を支持する底面部と、底面部の両側から立ち上がり、幹線部分の両側を覆う一対の側面部とを有している。側面部には、引出部が開口して設けられている。電線は幹線部分から直角に屈曲して引出部から引き出される分岐部分を有し、分岐部分の端部にはコネクタが接続されている。また、樋部には、カバー部が被せ付けられる。
電線の幹線部分が樋部内に上方から挿入され、次いで、樋部の上面開口がカバー部で閉塞されることにより、幹線部分が樋部内に収容された状態に保たれている。
【先行技術文献】
【特許文献】
【０００３】
【特許文献１】特開２０１５−１５８４９号公報
【発明の概要】
【発明が解決しようとする課題】
【０００４】
上記の従来の配線構造によれば、電線の幹線部分がベース体から離脱するのをカバー部で阻止することができた。しかし、幹線部分がベース体の樋部内を長さ方向に動き得るため、引出部から引き出される電線の分岐部分を所定の出代に管理するのが難しいという事情があった。その結果、コネクタが相手コネクタとの嵌合を開始するのに適正な位置に配置されず、コネクタの嵌合作業を円滑に進めることができないおそれがあった。
【０００５】
本発明は上記のような事情に基づいて完成されたものであって、電線の引き出し部分の出代寸法を一定に管理することが可能な配線構造を提供することを目的とする。
【課題を解決するための手段】
【０００６】
本発明の配線構造は、配線面を有する樹脂製の配線部材と、前記配線面に沿って配線される部分と前記配線部材から引き出される部分とを有し、前記引き出される部分の端部にコネクタが接続される電線とを備えた配線構造であって、前記配線部材の前記配線面における前記電線の引き出し位置の直前に、前記電線の位置決め固定部が一体に設けられているところに特徴を有する。
【発明の効果】
【０００７】
配線部材の配線面における電線の引き出し位置の直前に、電線の位置決め固定部が一体に設けられているため、電線のうち配線面に沿って配線される部分が配線面に対して位置ずれするのを防止することができる。これにより、電線が引き出される部分の出代寸法を一定に管理することができる。なお、位置決め固定部は、電線が強く引っ張られるなどしても、配線面に対する電線の相対位置が位置ずれしない程度の固定力を有するものである。
【図面の簡単な説明】
【０００８】
【図１】本発明の実施例１の配線構造における配線部材の斜視図である。
【図２】バンド部材を取り付けた各電線と位置決め固定部との分離斜視図である。
【図３】各電線がバンド部材を介して位置決め固定部に位置決め固定された状態を示す斜視図である。
【図４】図３の平面図である。
【図５】図４のＡ−Ａ線断面図である。
【図６】図４のＢ−Ｂ線断面図である。
【図７】位置決め固定部の平面図である。
【図８】位置決め固定部の正面図である。
【図９】配線路に沿って切断した位置決め固定部の断面図である。
【図１０】本発明の実施例２の配線構造において、電線が位置決め固定部に位置決め固定された状態を示す斜視図である。
【図１１】図１０のＣ−Ｃ線断面図である。
【発明を実施するための形態】
【０００９】
本発明の好ましい実施形態を以下に示す。
前記電線の外周に固定される連結部材を備え、前記位置決め固定部が、前記配線面に立設された壁の内側に前記連結部材の挿入空間を有しているとよい。これによれば、電線が連結部材を介して位置決め固定部に容易に組み付けられる。
【００１０】
前記位置決め固定部が、前記挿入空間の挿入口に向けて抜け止め突起を突出させた撓み変形可能な連結部材押さえ片を有しているとよい。例えば、配線構造が高温環境下に置かれる場合には、配線部材の樹脂が熱膨張して、位置決め固定部に寸法変化を来たし、位置決め固定部が連結部材を固定するのに十分な固定力を減じるおそれがある。その点、上記構成によれば、仮に、位置決め固定部の固定力が減少しても、連結部材押さえ片の撓み変形後、抜け止め突起が連結部材の端面に係止可能に配置されることにより、挿入空間から連結部材が抜け出るのを防止することができる。
【００１１】
前記連結部材が、前記電線の外周に巻かれるバンド部材からなるとよい。これによれば、電線の外周に連結部材を容易に取り付けることができる。また、バンド部材が複数の電線を束ねる結束バンドとして利用可能となる。
【００１２】
前記バンド部材が、係止孔を有する基部と、前記基部から延出し、前記係止孔に挿通されて係止されるバンド本体部とを有し、前記基部が前記挿入空間に嵌め込み可能な形態になっている。バンド部材の基部を利用することにより、連結部材（バンド部材）を位置決め固定部に容易に組み付けることができる。
【００１３】
前記位置決め固定部が、前記配線面に立設された電線巻き付け部を有しているとよい。これによれば、電線が電線巻き付け部に巻き付けられてダイレクトに位置決め固定されるため、連結部材が不要となり、その分、部品点数を減らすことができる。
【００１４】
前記位置決め固定部が、前記電線巻き付け部への前記電線の差し込み口と、前記差し込み口に向けて鍔部を突出させた撓み変形可能な電線押さえ片とを有しているとよい。電線が差し込み口から電線巻き付け部に巻き付けられた状態で、鍔部が電線の外周に係止可能に配置されることにより、差し込み口から電線が抜け出るのを防止することができる。
【００１５】
＜実施例１＞
以下、実施例１を図１〜図９によって説明する。本実施例１の配線構造は、自動車のオートマチックトランスミッションの油圧制御装置に備わる構造を例示している。配線構造は、油圧制御装置のボディ（図示せず）に取り付けられる配線部材１０と、複数の電線６０と、各電線６０を配線部材１０に固定するための連結部材としてのバンド部材８０とを備えている。
【００１６】
図１に示すように、配線部材１０は、合成樹脂製であって、全体として板状に形成されている。配線部材１０の適宜箇所には、ボディへの固定用ボルト（図示せず）を挿通可能なボルト挿通孔１１が貫設され、ボルト挿通孔１１の周囲に、包囲壁１２が立設されている。配線部材１０の上面には、電線６０の配線方向に平坦な平面状の配線面１３が設けられている。
【００１７】
配線部材１０には、周辺の間隔をあけた複数箇所に、電線６０の位置決め固定部１４が一体に設けられている。位置決め固定部１４は、配線部材１０の配線面１３にほぼ直角に立設された壁によって構成されている。
【００１８】
図２及び図７に示すように、壁は、配線部材１０の端縁に沿った端壁部１５と、端壁部１５の壁面とほぼ直交する方向に沿った一対の側壁部１６、１７と、側壁部１６、１７の壁面とほぼ直交する方向に沿った奥壁部１８とを有している。奥壁部１８は、両側壁部１６、１７のうちの一方の側壁部（以下、第１側壁部１６と称する）に連設され、端壁部１５と対向して配置されている。なお、側壁部１６、１７には、包囲壁１２の一部に一体化して厚肉に形成されるものと、独立した形態で薄肉に形成されるものとが含まれている。
【００１９】
配線部材１０の配線面１３に立設された、第１側壁部１６、端壁部１５及び奥壁部１８によって、位置決め凹部１９が構成される。位置決め凹部１９は、上方に開放されるとともに、他方の側壁部（以下、第２側壁部１７と称する）側となる側方に開放（以下、側方開放部２０と称する）される挿入空間２１を有している。図２及び図３に示すように、挿入空間２１には、バンド部材８０の後述する基部８１が上方から挿入される。位置決め固定部１４は、位置決め凹部１９と第２側壁部１７との間に、電線６０の配線路２２を有している。配線路２２は、挿入空間２１の側方開放部２０と連通している。図６に示すように、配線路２２の配線面１３は、位置決め凹部１９（挿入空間２１）の底面から一段落ちて配置されている。
【００２０】
また、図８及び図９に示すように、端壁部１５は、位置決め凹部１９と隣り合う位置に、引き出し口２３を有している。引き出し口２３は、端壁部１５を厚み方向に貫通して配線路２２と連通し、且つ端壁部１５の上端に開口している。
【００２１】
位置決め凹部１９の端壁部１５には、スリット２４が切り欠くようにして設けられている。スリット２４は、上下方向に延出して端壁部１５の上端に開口している。端壁部１５は、スリット２４と引き出し口２３との間に、連結部材押さえ片２５を有している。連結部材押さえ片２５は、端壁部１５の壁面を構成して上下方向に延出する形態をなし、下端部を支点として撓み変形可能とされている。連結部材押さえ片２５の上端には、挿入空間２１に向けて突出する爪状の抜止突起２６が設けられている。
【００２２】
図７に示すように、第２側壁部１７の内面（配線路２２に臨む面）には、挿入空間２１の側方開放部２０と対向する位置に、バンド挿入部２７が凹設されている。バンド挿入部２７は、上下方向に延出して第２側壁部１７の上端に開口している。バンド挿入部２７には、バンド部材８０の後述するバンド本体部８２が上方から挿入される。
【００２３】
電線６０は、芯線の周囲を絶縁樹脂で包囲した被覆電線として構成される。電線６０の両端部には、端子金具（図示せず）が電気的及び機械的に接続されている。端子金具は、コネクタ７０の内部に挿入されて保持される。このため、電線６０の両端部は端子金具を介してコネクタ７０に接続されることになる。コネクタ７０は、配線部材１０がボディに固定された後、相手コネクタ（図示せず）に嵌合される。本実施例の場合、相手コネクタは、ボディ側に設置された油圧制御のためのソレノイド（図示せず）に設けられている。
【００２４】
図３及び図４に示すように、電線６０は、配線部材１０の配線面１３に沿って配線される配線部分６３と、配線面１３の引き出し位置（引き出し口２３と対応する位置）から外方へ引き出される引き出し部分６４とで構成される。図１に示すように、コネクタ７０は、引き出し部分６４の端部に接続されている。
【００２５】
図２に示すように、バンド部材８０は、複数の電線６０を結束する結束バンド（所謂タイバンド）として構成される。バンド部材８０は、合成樹脂製であって、基部８１と、基部８１から延出するバンド本体部８２とを有している。
【００２６】
基部８１は、略角ブロック状をなし、位置決め凹部１９の挿入空間２１に適合する形状で構成されている（図３〜図６を参照）。また、基部８１は、バンド本体部８２を挿通可能な係止孔（図示せず）を有し、係止孔の孔面には、係止突起（図示せず）が形成されている。
【００２７】
バンド本体部８２は、屈曲可能な帯状をなし、各電線６０の外周を周回可能な長さを有している。バンド本体部８２の片面には、長さ方向に連続する多数の突条部（図示せず）が設けられている。バンド本体部８２が各電線６０の外周に巻かれ、バンド本体部８２の先端部が係止孔に挿通されて引っ張られ、その状態で、突条部が係止突起に係止されることにより、バンド部材８０が各電線６０の外周に所定の締結力で巻き付け固定される。バンド部材８０の巻き付け後、基部８１から突出するバンド本体部８２の余長部分は切断される。
【００２８】
ここで、バンド部材８０は、電線６０の配線部分６３のうち引き出し部分６４と隣接（近接）する部位に、巻き付けられる。このため、電線６０に対するバンド部材８０の巻き付け位置は、電線６０の配線部分６３と引き出し部分６４との境界位置の近傍となり、配線部分６３が配線面１３に配線された状態では、配線面１３の引き出し位置の直前（引き出し口２３に臨む手前側の位置）となる。
【００２９】
次に、本実施例１の配線構造の組み付け方法を説明する。
まず、電線６０の両端部が端子金具を介してコネクタ７０に接続される。ここでは、１つのコネクタ７０に３本の電線６０が接続される。次いで、バンド部材８０が各電線６０の巻き付け位置に巻き付け固定される。すると、バンド部材８０の基部８１が各電線６０の側方に突出して配置される（図２を参照）。
【００３０】
続いて、上記バンド部材８０を取り付けた各電線６０が配線部材１０の配線面１３に向けて降ろされる（図２及び図３を参照）。各電線６０が配線面１３に向かう過程において、バンド部材８０の基部８１は、位置決め凹部１９の挿入空間２１に上方から挿入され、抜止突起２６と干渉して、連結部材押さえ片２５を外側（挿入空間２１から退避する側）に撓み変形させる。その後、各電線６０が配線面１３に正規に配線されると、バンド部材８０の基部８１は、位置決め凹部１９の挿入空間２１に全体が嵌り込み、端壁部１５と奥壁部１８との間に挟み付けられた状態になる（図４及び図５を参照）。また、基部８１が挿入空間２１に嵌り込むのと同時に、連結部材押さえ片２５が弾性的に復帰し、抜止突起２６が基部８１の上面に係止可能に配置される。これにより、基部８１が挿入空間２１から上方に抜け出るのが阻止される。
【００３１】
さらに、基部８１が挿入空間２１に嵌り込むと、バンド本体部８２の径方向両側の部分が挿入空間２１の側方開放部２０とバンド挿入部２７とにそれぞれ挿入される。バンド部材８０の基部８１が挿入空間２１に嵌り込んで位置決め凹部１９の壁間に挟み付けられることにより、バンド部材８０を取り付けた各電線６０が位置決め固定部１４に対して位置決めされた状態に固定される。こうして電線６０が位置決め固定部１４に固定されたときに、電線６０の配線部分６３は所定の配線路２２に沿って配線され、電線６０の引き出し部分６４は引き出し口２３から外部へ所定の出代をもって引き出される。本実施例１の場合、電線６０がバンド部材８０を介して位置決め固定部１４に固定されているため、電線６０の引き出し口２３からの出代を一定に維持することが可能となっている。
【００３２】
次いで、各電線６０を固定した配線部材１０は、油圧制御装置のボディに固定用ボルトを介して固定される。このとき、各電線６０の引き出し部分６４が引き出し口２３から所定の出代をもって引き出されているため、各電線６０の引き出し部分６４の端部に接続されたコネクタ７０は、対応する相手コネクタと嵌合可能な位置にほぼ正対して配置される。したがって、その後、コネクタ７０と相手コネクタとの嵌合作業を円滑且つ迅速に行うことができる。
【００３３】
ところで、配線部材１０が油圧制御装置に組み込まれて高温環境下に晒されることにより、配線部材１０の樹脂が熱膨張して寸法変化を来たし、バンド部材８０に対する位置決め固定部１４の固定力が低下する懸念がある。しかし、本実施例１の場合、仮に、バンド部材８０に対する位置決め固定部１４の固定力が低下しても、連結部材押さえ片２５の抜止突起２６が基部８１の上面に当接することにより、バンド部材８０が位置決め固定部１４から抜け出るのを防止することができる。
【００３４】
以上説明したように、本実施例１によれば、配線部材１０の配線面１３における電線６０の引き出し位置の直前に、電線６０の位置決め固定部１４が一体に設けられているため、電線６０の配線部分６３が配線部材１０の配線面１３に対して位置ずれするのを防止することができる。その結果、電線６０の引き出し部分６４の出代寸法を一定に管理することができる。
【００３５】
また、連結部材としてのバンド部材８０が電線６０の外周に固定され、バンド部材８０の基部８１が位置決め凹部１９の挿入空間２１に上方から挿入されることにより、各電線６０がバンド部材８０を介して位置決め固定部１４に容易に組み付けられる。しかも、各電線６０の外周にバンド部材８０を巻き付けて容易に固定することができるのに加え、バンド部材８０として既存のタイバンドを利用することができる。バンド部材８０がタイバンドのように複数の電線６０を束ねる締結部材であれば、各電線６０を結束する機能と配線面１３に位置決め固定する機能とがバンド部材８０に集約されるため、両機能（各電線６０の結束機能と位置決め固定機能）が別々の部材で実現されるよりも、部品点数を削減することができる。
【００３６】
さらに、位置決め固定部１４が挿入空間２１の挿入口（上端開口）に向けて抜止突起２６を突出させた撓み変形可能な連結部材押さえ片２５を有しているため、配線部材１０が高温環境下に晒されても、基部８１が挿入空間２１から抜け出るのを防止することができる。
【００３７】
なお、本実施例１と異なり、仮に、連結部材押さえ片が１つの位置決め固定部１４に対をなして設けられている場合には、構造が複雑になるのに加え、両連結部材押さえ片がいずれも撓み変形して基部８１が傾く懸念がある。その点、本実施例１の場合、連結部材押さえ片２５が１つの位置決め固定部１４に１つだけ設けられているため、基部８１が連結部材押さえ片２５と奥壁部１８との間に安定して保持され、基部８１が傾いたりする事態をなくすことができる。
【００３８】
＜実施例２＞
図１０及び図１１は、本発明の実施例２を示す。実施例２の配線構造は、連結部材を介さずに、電線６０が配線部材１０Ａの位置決め固定部１４Ａに直接位置決め固定されている。位置決め固定部１４Ａの構造は、実施例１と異なり、位置決め凹部１９を有していない。連結部材を備えていない点及び位置決め固定部１４Ａの構造を除けば、実施例２は実施例１と同様である。
【００３９】
配線部材１０Ａは平坦な配線面１３Ａを有し、配線面１３Ａには一対の側壁部１６Ａ、１７Ａが立設されている。両側壁部１６Ａ、１７Ａは、互いに平行に対向して配置されている。配線部材１０Ａの端縁は、両側壁部１６Ａ、１７Ａ間に、電線６０の引き出し口２３Ａを有している。
【００４０】
位置決め固定部１４Ａは、両側壁部１６Ａ、１７Ａ間で、且つ引き出し口２３Ａの近傍（直前）に、配線面１３Ａに立設された電線巻き付け部３０を有している。電線巻き付け部３０は、全体として円筒状に形成されている。電線巻き付け部３０には、中空の軸芯部分を中心とした平面視十字の割り溝３２が全高にわたって設けられている。このため、電線巻き付け部３０は、割り溝３２を介して周方向に４分割され、独立した４つの電線押さえ片３３がそれぞれ径方向に撓み変形可能となっている。図１１に示すように、電線巻き付け部３０の上端部と側壁部１６Ａ、１７Ａとの間には、電線６０の差し込み口３４が開口している。
【００４１】
また、電線巻き付け部３０の上端部には、鍔部３１が径方向に張り出して設けられている。鍔部３１は、電線巻き付け部３０のそれぞれの電線押さえ片３３に、平面視弧状、詳細には平面視４半円弧状に形成されている。また、鍔部３１は、差し込み口３４の開口幅を狭めるように、差し込み口３４に向けて突出している。このため、差し込み口３４は、電線巻き付け部３０が自然状態にあるときに、鍔部３１と側壁部１６Ａ、１７Ａとの間に、電線６０の外径よりも小さい開口幅をもって構成される。なお、鍔部３１と側壁部１６Ａ、１７Ａは、下向きに傾斜する斜面部分によって差し込み口３４を区画している。
【００４２】
両側壁部１６Ａ、１７Ａの内面には、電線巻き付け部３０の本体部３５（鍔部３１を除く部分）と対向する位置に、周囲より厚肉の肉盛り部３６が設けられている。電線巻き付け部３０の本体部３５と肉盛り部３６とは、電線６０の外径にほぼ等しい距離で離間している。
【００４３】
組み付けに際し、電線６０が差し込み口３４を通して配線部材１０Ａの配線面１３Ａに向けて降ろされる。電線６０が差し込み口３４を通過する際に、側壁部１６Ａ、１７Ａと鍔部３１とに電線６０の外周が摺動し、電線押さえ片３３が割り溝３２を介して径方向内側に撓み変形させられる。これにより、差し込み口３４の開口幅が広がり、電線６０の通過が許容される。
【００４４】
電線６０は、差し込み口３４への差し込みとともにループ状に回曲され、差し込み口３４を通過した後、電線巻き付け部３０の本体部３５の外周に一周巻き付けられる。このとき、電線６０の巻き付け位置は、引き出し口２３Ａから引き出される引き出し部分６４Ａの出代を考慮し、コネクタ７０が接続される端部との間に規定される。
【００４５】
電線６０の配線部分６３Ａは、配線面１３Ａに配線された状態で、電線巻き付け部３０の本体部３５と肉盛り部３６との間に挟み付けられる（図１１を参照）。このとき、電線６０は、巻き付けに伴う弾性復元力によって肉盛り部３６の内面に強く押し当てられ、位置決め固定部１４Ａに位置決め固定された状態になる。また、電線押さえ片３３の弾性復帰に伴い、差し込み口３４の開口幅が狭められ、鍔部３１が電線６０の上方に係止可能に配置される。これにより、差し込み口３４から電線６０が抜け出るのを防止することができ、電線巻き付け部３０に電線６０が巻き付けられた状態を良好に維持することができる。
【００４６】
以上のように、実施例２によれば、電線６０が電線巻き付け部３０に巻き付けられることで位置決め固定部１４Ａにダイレクトに位置決め固定されるため、連結部材が不要となり、その分、部品点数を減らすことができる。
【００４７】
＜他の実施例＞
以下、他の実施例を簡単に説明する。
（１）実施例１から連結部材押さえ片を省略してもよい。
（２）実施例２から鍔部及び割り溝を省略してもよい。
（３）実施例１からバンド挿入部を省略してもよい。
（４）実施例１において、連結部材は、電線の外周に固定されるものであれば、バンド部材に限らず、例えば、電線の外周に固定されるクリップなどの固定部材であってもよく、あるいは、電線の外周にテープを幾重にも巻き付けてなるものであってもよい。
（５）実施例２において、電線は、電線巻き付け部に２周以上にわたって巻き付けられてもよい。
【符号の説明】
【００４８】
１０、１０Ａ…配線部材
１３、１３Ａ…配線面
１４、１４Ａ…位置決め固定部
１９…位置決め凹部
２１…挿入空間
２５…連結部材押さえ片
２６…抜止突起
３０…電線巻き付け部
３１…鍔部
３３…電線押さえ片
３４…差し込み口
６０…電線
６３、６３Ａ…配線部分
６４、６４Ａ…引き出し部分
７０…コネクタ
８０…バンド部材（連結部材）
８１…基部
８２…バンド本体部
【図１】
0006597375.tif 000002
【図２】
0006597375.tif 000003
【図３】
0006597375.tif 000004
【図４】
0006597375.tif 000005
【図５】
0006597375.tif 000006
【図６】
0006597375.tif 000007
【図７】
0006597375.tif 000008
【図８】
0006597375.tif 000009
【図９】
0006597375.tif 000010
【図１０】
0006597375.tif 000011
【図１１】
0006597375.tif 000012